(57)【特許請求の範囲】
【請求項１】
互いに対向する対向部分で人体部位を挟み込んで指圧する第一挟込片と第二挟込片とを備えたあんま器であって、
上記対向部分に、上記第一挟込片に対する第二挟込片の回動支点となる支点部を備え、
上記支点部を、
上記第一挟込片に備え、上記第二挟込片側へ突き出した突状部と、
上記第二挟込片に備え、上記突状部を離間可能に支持する支持部とで構成するとともに、
上記対向部分の上記支点部より一方の側に、人体部位を挟み込む挟込部を備え、
上記対向部分の上記支点部より他方の側に、
上記突状部と上記支持部との離間を許容するとともに、前記挟込部が開くように、上記第一挟込片と上記第二挟込片とを接近させる側へ付勢する付勢手段を備えた
あんま器。
【請求項２】
上記第一挟込片における上記突状部の幅方向の両側に、上記支持部の幅方向両側へ突き出して上記第一挟込片と上記第二挟込片との幅方向への位置ズレをガイドするガイド部を備え、
上記第二挟込片に、上記ガイド部にガイドされる被ガイド部を備えた
請求項１に記載のあんま器。
【請求項３】
上記付勢手段を、
上記対向部分の他方の側同士を連結するゴム紐により構成した
請求項１、又は、請求項２に記載のあんま器。
【請求項４】
上記第一挟込片と上記第二挟込片における少なくとも１つの突端部に、人体部位を押圧する押圧部を形成した
請求項１から請求項３のうちいずれか１項に記載のあんま器。
【発明の詳細な説明】
【技術分野】
【０００１】
この発明は、手指や足指をはじめとする人体部位を挟み込んで指圧するあんま器に関する。
【背景技術】
【０００２】
従来より、上述した人体部位を指圧するあんま器としては、様々なものが既に実用化されているが、例えば、下記特許文献１においてツボ刺激具が開示されている。
【０００３】
特許文献１におけるツボ刺激具は、先端側に指圧部（１，４）、基部側にグリップ（７）を有した棒状の部材を２本備え、該２本の棒状の部材をクロスさせたその中心部分に回動部（６）を構成し、２本の棒状の部材が互いに逆方向へ回動可能に構成している。さらに、互いに対向する上記指圧部（１，４）における右側の右指圧部（１）と、左側の左指圧部（４）には、適宜、突起（２，３，５）を備えている。
【０００４】
特許文献１におけるツボ刺激具は、グリップ（７）を握ることにより、右指圧部（１）と左指圧部（４）との間に差し込んだ人体部位を突起（２，３，５）により指圧することができる。
【０００５】
しかし、上記ツボ刺激具は、右指圧部（１）と左指圧部（４）とを上述した回転部（６）を回転軸として回転させたとき、右指圧部（１）と左指圧部（４）とが傾斜した状態で人体部位を挟み込むことになり、人体部位に対して両側から略直角方向へ挟み込むことができない。
【０００６】
このため、特許文献１におけるツボ刺激具は、突起（２，３，５）により部分的な挟み込みしかできず、例えば、人体部位に対して両側から均等にしっかりと挟み込むことや、複数箇所を同時に指圧するといったことが困難であるといった難点を有する。
【０００７】
【特許文献１】実用新案登録第３１３２２３３号公報
【発明の開示】
【発明が解決しようとする課題】
【０００８】
そこでこの発明は、人体部位全体を、均等に、且つ、しっかりと挟み込んで指圧することのできるあんま器の提供を目的とする。
【課題を解決するための手段】
【０００９】
本発明のあんま器は、互いに対向する対向部分で人体部位を挟み込んで指圧する第一挟込片と第二挟込片とを備えたあんま器であって、上記対向部分に、上記第一挟込片に対する第二挟込片の回動支点となる支点部を備え、上記支点部を、上記第一挟込片に備え、上記第二挟込片側へ突き出した突状部と、上記第二挟込片に備え、上記突状部を離間可能に支持する支持部とで構成するとともに、上記対向部分の上記支点部より一方の側に、人体部位を挟み込む挟込部を備え、上記対向部分の上記支点部より他方の側に、上記突状部と上記支持部との離間を許容するとともに、前記挟込部が開くように、上記第一挟込片と上記第二挟込片とを接近させる側へ付勢する付勢手段を備えたことを特徴とする。
【００１０】
上記第一挟込片、及び、上記第二挟込片は、挟み込むことによりツボ（手足の骨間の狭く深い骨間筋、或いは、反射区）を指圧することができる部材であればよく、例えば、板状、棒状など様々な形態の部材で形成することができる。
【００１１】
上記挟込部は、例えば、複数の指を接地し易いように凹凸状に構成したり、ツボを効果的に指圧するための突起部を備えて構成することができる。
【００１２】
上述した構成によれば、上記第一挟込片と上記第二挟込片とで人体部位を挟み込む過程において、突状部に沿って支持部が当接しながらスライドすることにより、支持部が上記第一挟込片に対する第二挟込片の回動支点となる。このため、上記第一挟込片と第二挟込片とが互いに長さ方向へ位置ズレすることなく、上記第一挟込片と第二挟込片とで、人体部位をしっかりと挟み込むことができる。
【００１３】
さらに、上記構成によれば、上記第一挟込片と上記第二挟込片とで人体部位を挟み込む過程において、例えば、肉厚の厚い部分を挟み込む場合でも、必要に応じて支点部における突状部と支持部とが互いに離間することができる。このため、使用者が大人や子供であることや、挟み込む人体部位の形態に関らず、上記第一挟込片と上記第二挟込片とを、人体部位の両側に対向させることができる。
【００１４】
よって、本発明のあんま器は、人体部位に対して略直角方向へ挟み込んで効果的に指圧することが可能となる。
【００１５】
さらにまた、本発明のあんま器は、上述したように上記対向部分の上記支点部より他方の側に、上記第一挟込片と上記第二挟込片とを接近させる側へ付勢する付勢手段を備えている。  
このため、上記第一挟込片と上記第二挟込片とにおける上記支点部よりも一方の側を片手で握るだけで、上記付勢手段の付勢力を利用して人体部位を、その両側からしっかりと、且つ、容易に挟み込んで指圧することができる。
【００１６】
さらに、本発明のあんま器は、上記付勢手段の付勢力により、上記支点部よりも他方の側の対向部分同士が互いに接触し、挟込部が開いた姿勢に留めておくことができるため、使用時に人体部位を挟込部に差し込んでスムーズに使用することができる。
【００１７】
さらにまた、本発明のあんま器は、上記付勢手段の付勢力により、挟込部を閉じるよう摘んだ状態で、その摘む力を変えることによって、挟込部により挟み込んだ箇所を繰り返し指圧することができる。さらに、この状態で、挟込部により挟み込む箇所を移動させることにより、様々な箇所を連続的に指圧することができる。
【００１８】
また、発明の態様として、本発明のあんま器は、上記第一挟込片における上記突状部の幅方向の両側に、上記支持部の幅方向両側へ突き出して上記第一挟込片と上記第二挟込片との幅方向への位置ズレをガイドするガイド部を備え、上記第二挟込片に、上記ガイド部にガイドされる被ガイド部を備えることができる。
【００１９】
上記構成によれば、上記第一挟込片と上記第二挟込片とを互いに対向させたとき、上記ガイド部と上記被ガイド部とが幅方向において係合する。  
すなわち、上記第一挟込片と上記第二挟込片とを互いに対向させたとき、上記ガイド部は、上記支持部を挟み込む形態で、該支持部の幅方向の両側から突き出した状態となる。
【００２０】
よって、使用時において上記第一挟込片と上記第二挟込片との幅方向の位置ズレ（横ズレ）を阻止することができる。
【００２１】
また、発明の態様として、本発明のあんま器は、上記付勢手段を、上記対向部分の他方の側同士を連結するゴム紐により構成することができる。
【００２２】
上記構成により、ゴム紐を、上記対向部分の他方の側同士に連結するだけで容易に付勢手段を構成することができ、さらに、その付勢力（弾性力）もゴム紐の種類、長さ、太さ等によって容易に設定することができる。
【００２３】
また、上記付勢手段は、上記第一挟込片と上記第二挟込片とを接近させる側へ付勢する手段であれば、例えば、バネ（スプリング）などの他の手段で構成することができる。
【００２４】
また、発明の態様として、本発明のあんま器は、上記第一挟込片と上記第二挟込片における少なくとも１つの突端部に、人体部位を押圧する押圧部を形成したことを特徴とする。
【００２５】
上記構成により、上記第一挟込片と上記第二挟込片を片手で把持した状態で、上記押圧部を骨間筋やツボに押し当てるだけで容易に指圧効果を得ることができる。
【発明の効果】
【００２６】
本発明のあんま器は、人体部位全体を均等に、且つ、しっかりと挟み込むんで指圧することができる。
【発明を実施するための最良の形態】
【００２７】
この発明の一実施形態を以下図面と共に説明する。  
本実施形態におけるあんま器１１は、図１、及び、図２に示すように構成している。  
なお、図１は、本実施形態におけるあんま器１１の外観図である。図２（ａ）、（ｂ）は、いずれも本実施形態におけるあんま器１１の正面図であるが、図２（ａ）は、人体部位を挟み込み可能に開いた姿勢を示し、図２（ｂ）は、不使用時の状態を示している。
【００２８】
本実施形態におけるあんま器１１は、人体部位を挟み込んで指圧可能な第一挟込片１２と第二挟込片１３とを備えている。
【００２９】
上記第一挟込片１２と上記第二挟込片１３は、いずれも、木製であり、図３、図４に示すように、長さ方向の略全体がその直角方向についての切断断面が四角形状をした棒状に構成し、さらに、上記第一挟込片１２よりも上記第二挟込片１３を長く形成している。
【００３０】
なお、図３（ａ）、（ｂ）、（ｃ）、（ｄ）、（ｅ）、（ｆ）は、それぞれ第一挟込片１２の平面図、正面図、底面図、左側面図、右側面図、図３（ａ）におけるＢ−Ｂ線矢視断面図を示す。図４（ａ）、（ｂ）、（ｃ）、（ｄ）、（ｅ）は、それぞれ第二挟込片１３の平面図、正面図、底面図、左側面図、右側面図を示す。
【００３１】
上記第一挟込片１２と上記第二挟込片１３とは、互いに対向配置した状態で用いられ、（図１、及び、図２参照）上記第一挟込片１２と上記第二挟込片１３とが互いに対向する対向部分１４（以下、単に「対向部分１４」という。）に、上記第一挟込片１２に対する第二挟込片１３の回動支点となる支点部１５を備えている。上記支点部１５は、上記対向部分１４の長さ方向における中途部分、さらに詳しくは、上記対向部分１４の長さ方向における中間部分よりも基部側寄りの部分に備えている。  
なお、本実施形態におけるあんま器１１の長さ方向における基部側方向、先端側方向は、それぞれ図１中、Ｘ１方向、Ｘ２方向を示す。
【００３２】
上記支点部１５は、上記第一挟込片１２に備え、上記第二挟込片１３側へ突き出した突状部１６と、上記第二挟込片１３に備え、上記突状部１６を離間可能に支持する支持部１７とで構成している。
【００３３】
具体的には、上記突状部１６は、図３（ｄ）、（ｅ）、（ｆ）に示すように、第一挟込片１２の幅方向の中間部分が第一挟込片１２の長さ方向に対して略直角方向へ第二挟込片１３側へ突き出した形態であるとともに、該突状部１６の先端部は、正面視円弧状に形成している。
【００３４】
これに対して、上記支点部１５は、図４（ｂ）、（ｃ）に示すように、第二挟込片１３の幅方向の中間部分において上記突状部１６に当接支持可能に突状部１６の先端部よりも緩やかな曲率半径を有した凹状に形成している。
【００３５】
また、上記第一挟込片１２における上記突状部１６の幅方向の両側には、図３（ｂ）、（ｄ）、（ｅ）に示すように、上記支持部１７の幅方向両側において上記突状部１６よりも突き出したガイド突部２２を形成している。  
これに対して、上記第二挟込片１３における上記支持部１７の幅方向の両側には、図４（ｂ）、（ｃ）に示すように、上記支持部１７よりも凹んだ凹部２３を構成している。この構成により、図５に示すように、上記ガイド突部２２は、上記第一挟込片１２と上記第二挟込片１３とが互いに対向した状態において上記凹部２３側へ突き出して、幅方向の両側から挟み込む態様で上記支持部１７に係合する。  
なお、図５は、図２（ｂ）のＡ−Ａ拡大端面図を示す。
【００３６】
続いて、本実施形態におけるあんま器１１の長さ方向における上記支点部１５よりも先端側部分における構成について説明する。  
なお、本実施形態におけるあんま器１１の長さ方向における先端側部分、基部側部分は、それぞれ図２（ｂ）中、あんま器１１の長さ方向における支点部１５よりもＸ２方向の部分、Ｘ１方向の部分を示す。
【００３７】
まず、上記対向部分１４における上記支点部１５より先端側部分には、人体部位を挟み込み可能な挟込部２４を備えている。  
上記挟込部２４には、例えば、人差し指、中指、薬指、小指の合計４本の指を同時に接地可能に、それぞれ幅方向へ切り欠いた４つの凹溝部２４ａを、第一挟込片１２と第二挟込片１３との各対向面に長さ方向に沿って配設している。
【００３８】
そして、上記第二挟込片１３の先端部分は、四角錐状に突き出して、その突端部は滑らかな突面形状として人体部位を押圧可能に構成した先端側押圧部２５を備えている。
【００３９】
次に、本実施形態におけるあんま器１１の長さ方向における基部側部分について説明する。  
上記第一挟込片１２の基部側部分は、上記支持部１７から基端側へ進むに連れて厚みが薄くなくなるよう対向部分１４を正面視下向きに傾斜させた第一傾斜面２７を構成している。
【００４０】
上記第二挟込片１３の基部側部分は、上記支持部１７から基端側へ進むに連れて基端部が鋭角状になるよう対向部分１４を正面視上向きに上記第一傾斜面２７よりも傾斜させた第二傾斜面２８を構成している。
【００４１】
これにより、本実施形態におけるあんま器１１は、上記第一挟込片１２と上記第二挟込片１３とを、上記第一傾斜面２７と第二傾斜面２８とが互いに接触するまで傾けたとき、図２（ａ）に示すように、人体部位が挟み込み可能に挟込部２４が約３０°程度、開いた状態となる。
【００４２】
なお、上記挟込部２４は、人体部位を挟み込むことが可能であれば、約３０度程度に限らずに異なる角度で開くよう構成してもよい。
【００４３】
上記第二挟込片１３の基端部には、上述したように、上記第一挟込片１２の基端部よりも長さ方向において人体部位を押圧可能に平面視滑らかな円弧状に突き出した基端側押圧部２６を備えている。
【００４４】
また、上記対向部分１４の上記支点部１５より基部側部分には、上記第一挟込片１２と上記第二挟込片１３とが、すなわち、第一傾斜面２７と第二傾斜面２８とが互いに接近する側へ付勢する２本のゴム紐３２を備えている。  
具体的には、上記第一挟込片１２の基部側部分には、幅方向における両側においてゴム紐３２を挿通可能に厚み方向に連通させた一対の挿通孔３３を形成し、該一対の挿通孔３３は、長さ方向における２箇所において形成しているため、合計４つの挿通孔３３を備えている。
【００４５】
一方、上記第二挟込片１３の基部側部分にも、第一傾斜面２７と第二傾斜面２８とが接触した状態において上記第一挟込片１２における各挿通孔３３と連通可能な各部位に合計４つの挿通孔３３を形成している。  
そして、上記２本のゴム紐３２のそれぞれを、上記第一挟込片１２と上記第二挟込片１３とにおける一対の挿通孔３３に挿通して、結着することにより一体としている（図１、及び、図２参照）。
【００４６】
上記構成により、上記ゴム紐３２の付勢力（弾性力）により、第一傾斜面２７と第二傾斜面２８とが常時、接触した状態に付勢することができ、挟込部２４を開状態に留めておくことができる（図２（ａ）参照）。
【００４７】
また、本実施形態におけるあんま器１１は、先端側を摘むなどすれば、ゴム紐３２の付勢力に抗して挟込部２４が閉じたいわゆる閉状態とすることができ、さらに、別途、備えた周方向の一部を切り欠いた形態の保持金具３４を、上記第一挟込片１２と上記第二挟込片１３とにおける先端側部分の外周部に、取り外し可能に装着すれば、挟込部２４が閉じた状態に保持することができる（図２（ｂ）参照）。  
なお、上記第一挟込片１２の先端側部分における上記挟込部２４と反対側の面には、装着した保持金具３４が不用意に取り外れないよう、該保持金具３４を係合可能に幅方向へ切り欠いた係合用溝部３５を形成している。
【００４８】
以下において、上述した構成のあんま器１１を用いて、人体部位の殊に爪の付け根部分を指圧する実施例について説明する。  
使用者は、上記第一挟込片１２と上記第二挟込片１３との挟込部２４が開いた状態において、第一挟込片１２側の挟込部２４の各凹溝部２４ａに、一方の手の人指し指ｆ１、中指ｆ２、薬指ｆ３、小指ｆ４の４本の指先部分、すなわち、爪の付け根部分を載置する。
【００４９】
使用者は、図６に示すように、他方の手で、上記第一挟込片１２と上記第二挟込片１３との各先端部を摘んで挟込部２４を閉じていく。
【００５０】
これにより、図６中要部拡大図、及び、図６の矢印Ａに示すように、上記第二挟込片１３に対して上記第一挟込片１２が支点部１５を中心にゴム紐３２の付勢力に抗して支持部１７が突状部１６に沿って滑らかにスライドしながら反時計回りに回動していく。
【００５１】
やがて、図７に示すように、上記第一挟込片１２と上記第二挟込片１３とが略平行となり、爪の付け根部分を、その上下各側から挟み込んだ状態となる。  
以上により、使用者は、図８に示すように、他方の手でさらに挟込部２４を閉じることにより、４本の指先ｆ１，ｆ２，ｆ３，ｆ４の各爪の付け根部分全てを均等、且つ、しっかりと指圧することができる。  
なお、図６、図７、図８は、それぞれ本実施形態におけるあんま器１１を用いて、爪の付け根部分を指圧する過程を断面で示した説明図、指圧している様子を断面で示した説明図、外観図である。
【００５２】
また、使用者は、片手で、先端部を摘んだときの力と、ゴム紐３２が収縮（復元）しようとする弾性力を利用して爪の付け根部分を容易に、且つ、しっかりと指圧することができる。  
さらにまた、上記ゴム紐３２の弾性力により、挟込部２４は、開いた姿勢に付勢され、該挟込部２４を摘む力に応じて開閉させることができる。このため、例えば、摘む力に強弱を加えながら挟込部２４により摘み、その状態で、指を挟込部２４に差し込んだり引抜いたりする方向へ移動することにより、挟み込む箇所を変えながら繰り返し指圧することができる。
【００５３】
なお、本実施例のあんま器１１を用いて爪を指圧（いわゆる爪もみ）することにより、自律神経を安定させ、顆粒球とリンパ球とのバランスを整えることができ、病気を予防できるといった効果を得ることができる。
【００５４】
続いて、上記爪の付け根部分よりも肉厚である指の付け根部分を指圧する実施例について説明する。  
使用者は、上述した実施例と同様に、上記第一挟込片１２と上記第二挟込片１３との挟込部２４が開いた状態において第一挟込片１２側の挟込部２４の各凹溝部２４ａに、一方の手の人指し指ｆ１’、中指ｆ２’、薬指ｆ３’、小指ｆ４’の４本の指の付け根部分を載置する。
【００５５】
さらに使用者は、図９の仮想線で示すように、他方の手で、上記第一挟込片１２と上記第二挟込片１３との各先端部を摘んで挟込部２４を閉じていく。
【００５６】
ところが、指の付け根部分は、指先部分よりも肉厚が厚いため、上述した実施例のように上記第一挟込片１２と上記第二挟込片１３とが略平行になる前に、図９に示すように、上記第二挟込片１３が指、さらに詳しくは、回動支点となる上記支点部１５に近い殊に小指ｆ４’に当接する。そして、使用者が上記第一挟込片１２と上記第二挟込片１３との各先端部をさらに摘むと、上記第二挟込片１３は、小指ｆ４’の当接部分を支点として基部側が押し上げられる。これにより、支点部１５において突状部１６に対して支持部１７が浮き上がり（離間し）（図９の要部拡大図参照）、結果的に、図１０に示すように、上記第一挟込片１２と上記第二挟込片１３とが略平行な姿勢となる。
【００５７】
従って、図１１に示すように、使用者が他方の手で上記第一挟込片１２と上記第二挟込片１３とを、さらに摘むことにより、ゴム紐３２の付勢力（弾性力）とともに、４本の指の付け根部分全体を両側からしっかりと、且つ、均等に挟み込んで指圧することができる。
【００５８】
上述したように、本実施形態におけるあんま器１１は、支点部１５における突状部１６と支持部１７とが互いに離間可能である。このため、人体部位における指圧する箇所や指圧する際の姿勢、さらには、使用者が大人や子供に関らず、挟み込んだ人体部位を部分的にではなく、全体を両側からしっかりと、且つ、均等に指圧することができる。
【００５９】
また、本実施形態におけるあんま器１１は、支点部１５を備えているため、挟込部２４が開いた状態から閉じる過程において上記第一挟込片１２に対する上記第二挟込片１３の回動を案内できるため、上記第一挟込片１２と上記第二挟込片１３とが互いに長さ方向へ位置ずれしてしまうことがなく、人体部位を挟み込むことができる。
【００６０】
さらにまた、本実施形態におけるあんま器１１は、ゴム紐３２を備えているため、突状部１６と支持部１７とが離間した状態においても、該ゴム紐３２の弾性力を利用して挟み込むことができる。従って、上記第一挟込片１２と上記第二挟込片１３との各先端側を片手で握るだけで容易に、且つ、しっかりと指圧することができる。
【００６１】
さらに、本実施形態におけるあんま器１１は、上述したように挟込部２４により、人体部位を挟み込んで指圧するに限らず、指圧部位や用途に応じて適宜、上記先端側押圧部２５、或いは、上記基端側押圧部２６によりツボを押圧することによっても効果的にマッサージを行うことができる。
【００６２】
上記先端側押圧部２５と上記基端側押圧部２６は、それぞれの形態から、殊に、先端側押圧部２５は、比較的、肉厚が厚く、面積が大きな筋肉部分に対する押圧に有効であり、上記基端側押圧部２６は、手の甲の骨（中手骨）の間に挟まっている手のひらの筋肉、すなわち、骨間筋に対する押圧に有効である。
【００６３】
また、本実施形態におけるあんま器１１は、幅方向において上記ガイド突部２２が上記支持部１７に係合可能な構成であるため（図５参照）、挟込部２４により人体部位を挟み込む過程において、上記第一挟込片１２と上記第二挟込片１３とが相対的に幅方向へズレ（横ズレ）てしまうことや、水平面上において捩れてしまうことを阻止することができる。
【００６４】
なお、本実施形態におけるあんま器１１は、上記形態で構成するに限定せず、様々な形態で構成することができる。  
例えば、上記第一挟込片１２の支点部１５を突状部１６ではなく支持部１７で構成し、上記第二挟込片１３の支点部１５を上記支持部１７ではなく突状部１６で構成してもよい。さらに、上記第一挟込片１２側に凹部２３を構成し、上記第二挟込片１３側にガイド突部２２を構成してもよい。
【００６５】
さらにまた、本実施形態におけるあんま器１１は、上述した実施例以外の他の実施例で用いることができる。例えば、あんま器１１に対して掌を平行にした状態で挟込部２４に指を差し込むに限らず、例えば、親指を横にした状態で挟込部２４に差し込んで指圧してもよい。
【００６６】
さらには、手指を指圧するに限らず、足指は勿論、手首、足首など他の人体部位を指圧することができる。
【００６７】
上述の実施形態と、この発明の構成との対応において、この実施形態の支持部１７は、この発明の被ガイド部にも対応し、以下同様に、
対向部分１４の支点部１５より先端側部分は、対向部分の支点部より一方の側に対応し、
対向部分１４の支点部１５より基部側部分は、対向部分の支点部より他方の側に対応し、
ガイド突部２２は、ガイド部に対応し、
先端側押圧部２５、又は／及び、基端側押圧部２６は、押圧部に対応するも、
この発明は、上述の実施形態の構成のみに限定されるものではなく、上述したように多くの実施の形態を得ることができる。
【図面の簡単な説明】
【００６８】
【図１】本実施形態におけるあんま器の外観図。
【図２】本実施形態におけるあんま器の正面図（ａ），図２（ａ）とは異なる姿勢の正面図（ｂ）。
【図３】本実施形態における第一挟込片の構成説明図。
【図４】本実施形態における第二挟込片の構成説明図。
【図５】図２（ｂ）における拡大端面図。
【図６】本実施形態におけるあんま器の作用説明図。
【図７】本実施形態におけるあんま器の作用説明図。
【図８】本実施形態におけるあんま器の作用説明図。
【図９】本実施形態におけるあんま器の作用説明図。
【図１０】本実施形態におけるあんま器の作用説明図。
【図１１】本実施形態におけるあんま器の作用説明図。
【符号の説明】
【００６９】
１１…あんま器
１２…第一挟込片
１３…第二挟込片
１４…対向部分
１５…支点部
１６…突状部
１７…支持部
２２…ガイド突部
２４…挟込部
２５…先端側押圧部
２６…基端側押圧部
３２…ゴム紐
【図１】
0005055060.tif 000002
【図２】
0005055060.tif 000003
【図３】
0005055060.tif 000004
【図４】
0005055060.tif 000005
【図５】
0005055060.tif 000006
【図６】
0005055060.tif 000007
【図７】
0005055060.tif 000008
【図８】
0005055060.tif 000009
【図９】
0005055060.tif 000010
【図１０】
0005055060.tif 000011
【図１１】
0005055060.tif 000012